(57)【要約】【課題】外圧に対する動作の信頼性をより向上させることを可能とする。【解決手段】第１の方向に延伸する軸部材と、前記軸部材が挿通され、前記第１の方向を回転軸方向として前記軸部材に対して回転可能に設けられる回転体と、を備え、前記軸部材の両端は、前記回転体の前記第１の方向における両側に位置する第１及び第２の隔壁の内面にそれぞれ固定的に接合される、回転駆動装置。【選択図】図４
2015022611.tif 000002
【特許請求の範囲】
【請求項１】
第１の方向に延伸する軸部材と、
前記軸部材が挿通され、前記第１の方向を回転軸方向として前記軸部材に対して回転可能に設けられる回転体と、
を備え、
前記軸部材の両端は、前記回転体の前記第１の方向における両側に位置する第１及び第２の隔壁の内面にそれぞれ固定的に接合される、回転駆動装置。
【請求項２】
前記軸部材は、前記回転体が収容されるケースを前記第１の方向に貫通して設けられ、
前記第１及び第２の隔壁は、前記回転駆動装置が内部に設置される可搬型電子機器の筐体の、前記第１の方向における両側に位置する隔壁である、
請求項１に記載の回転駆動装置。
【請求項３】
前記第１及び第２の隔壁は、前記回転体が収容されるケースの、前記第１の方向における両側に位置する隔壁である、
請求項１に記載の回転駆動装置。
【請求項４】
前記第１の隔壁は、前記回転駆動装置が内部に設置される可搬型電子機器の筐体の、前記第１の方向における一側に位置する隔壁であり、
前記第２の隔壁は、前記回転体が収容されるケースの、前記第１の方向における他側に位置する隔壁である、
請求項１に記載の回転駆動装置。
【請求項５】
前記回転体の外周部には少なくとも１つの羽根が設けられ、
前記回転体が収容されるケースの、前記第１の方向における少なくともいずれかの側に位置する隔壁の一部領域には吸気用の開口部が設けられ、
前記回転体は、前記第１の方向を回転軸として回転駆動されることにより、前記ケースに設けられる前記開口部を介して前記第１の方向から吸入した空気を、前記第１の方向とは異なる第２の方向に向かって排出する、
請求項１に記載の回転駆動装置。
【請求項６】
前記回転駆動装置は、可搬型電子機器の筐体内部に設置され、当該可搬型電子機器の筐体内部の排熱を行う冷却ファンである、
請求項５に記載の回転駆動装置。
【請求項７】
前記可搬型電子機器はノート型ＰＣであり、
前記第１及び第２の隔壁は、前記ノート型ＰＣの筐体の、前記第１の方向における両側に位置する隔壁であり、
前記第１又は第２の隔壁の外面には、ユーザによる前記ノート型ＰＣへの操作入力のための操作手段が設けられる、
請求項６に記載の回転駆動装置。
【発明の詳細な説明】
【技術分野】
【０００１】
本開示は、回転駆動装置に関する。
【背景技術】
【０００２】
近年、ノート型ＰＣ（ノート型Ｐｅｒｓｏｎａｌ  Ｃｏｍｐｕｔｅｒ）等の可搬型電子機器においては、内部に搭載されるＣＰＵ（Ｃｅｎｔｒａｌ  Ｐｒｏｃｅｓｓｉｎｇ  Ｕｎｉｔ）等の集積回路の高集積化、高速化に伴い、当該機器内で発生した熱を外部に効率良く排出する技術が求められている。例えば、特許文献１には、ＣＰＵ等の熱源とバッテリーとの間に断熱用の空間を設け、冷却ファンのような回転駆動されることによって空気を流動させる回転駆動装置を用いて、当該断熱用の空間から吸入した空気を外部に向かって排出する可搬型電子機器が開示されている。
【先行技術文献】
【特許文献】
【０００３】
【特許文献１】特開２００７−１２２１３２号公報
【発明の概要】
【発明が解決しようとする課題】
【０００４】
一方、近年、ノート型ＰＣ等の可搬型電子機器においては、筐体のより一層の小型化、軽量化が求められており、筐体の隔壁もより薄くなる傾向にある。隔壁が薄くなると、筐体の剛性が低下してしまい、筐体に対して外部から加えられる圧力によって筐体の隔壁が変形し、内部の構成に対しても影響を与える可能性がある。しかしながら、特許文献１に記載の技術では、このような筐体の隔壁の変形による内部の構成への影響については十分考慮されていなかった。従って、特許文献１に記載の技術では、筐体に対して外圧が加えられた場合、変形した隔壁によって排熱のための回転駆動装置の動作がスムーズに行われなくなり、排熱効率（冷却効率）が低下してしまう恐れがあった。
【０００５】
上記事情を鑑みると、外圧が与えられた場合であっても正常な動作が保たれる、より信頼性の高い回転駆動装置が求められていた。そこで、本開示では、外圧に対する動作の信頼性をより向上させることが可能な、新規かつ改良された回転駆動装置を提案する。
【課題を解決するための手段】
【０００６】
本開示によれば、第１の方向に延伸する軸部材と、前記軸部材が挿通され、前記第１の方向を回転軸方向として前記軸部材に対して回転可能に設けられる回転体と、を備え、前記軸部材の両端は、前記回転体の前記第１の方向における両側に位置する第１及び第２の隔壁の内面にそれぞれ固定的に接合される、回転駆動装置が提供される。
【０００７】
本開示によれば、回転体に挿通される軸部材の両端が、当該軸部材が延伸される第１の方向の両側において、回転体の当該第１の方向における両側に位置する第１及び第２の隔壁の内面と固定的に接合される。従って、当該軸部材が、回転体を回転可能に支持するとともに、第１及び第２の隔壁を内部から支持する機能を有する。よって、第１の方向から加えられる外圧に対する第１及び第２の隔壁の剛性が向上され、当該外圧による第１及び第２の隔壁の変形が抑制される。従って、外圧が加えられた際でも回転駆動装置の正常な動作が維持される。
【発明の効果】
【０００８】
以上説明したように本開示によれば、外圧に対する動作の信頼性をより向上させることが可能となる。
【図面の簡単な説明】
【０００９】
【図１】一般的な冷却ファンにおける、ファンの回転軸を通る断面の様子を示す概略図である。
【図２Ａ】一般的な冷却ファンに対して外圧が加えられた場合について説明するための説明図である。
【図２Ｂ】一般的な冷却ファンに対して外圧が加えられた場合について説明するための説明図である。
【図３】一般的な冷却ファンにおいて、可搬型電子機器の筐体と冷却ファンとの間に緩衝材が設けられる場合の一構成例について説明するための説明図である。
【図４】本開示の一実施形態に係る冷却ファンにおける、ファンの回転軸を通る断面の様子を示す概略図である。
【図５】本実施形態に係る冷却ファンによって得られる効果について説明するための説明図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行うものとする。
１．一般的な既存の冷却ファン
１−１．一般的な既存の冷却ファンの構成
１−２．一般的な既存の冷却ファンに対する検討
２．本実施形態に係る冷却ファン
２−１．本実施形態に係る冷却ファンの構成
２−２．本実施形態に係る冷却ファンによる効果
３．まとめ
【００１２】
＜１．一般的な既存の冷却ファン＞
まず、本開示をより明確なものとするために、本発明者らが本開示に想到するに至った経緯について詳しく説明する。以下では、一般的な回転駆動装置の一例として、当該回転駆動装置が、ノート型ＰＣ等の可搬型電子機器の筐体内に設置される一般的な冷却ファンである場合を例に挙げて説明を行う。一般的な冷却ファンにおいては、回転体であるファンが回転駆動されることにより、当該ファンの周囲に空気の流れが発生し、筐体内から筐体外部に向かって熱が排出される。
【００１３】
［１−１．一般的な既存の冷却ファンの構成］
まず、図１を参照して、一般的な既存の冷却ファンの概略構成について説明する。図１は、一般的な冷却ファンにおける、ファンの回転軸を通る断面の様子を示す概略図である。なお、図１及び後述する図４では、説明をより明確なものとするため、必要に応じて冷却ファンの各構成部材の大きさを適宜変更して図示している。図１及び図４に示す冷却ファンの各構成部材間の大小関係は、必ずしも実際の冷却ファンにおける各構成部材の大小関係を厳密に表すものではない。
【００１４】
図１を参照すると、一般的な冷却ファン６０は、ファン（回転体）６１０、軸部材６２０、ベアリング６３０、ハウジング６４０、Ｏリング（オー−リング）６５０ａ、６５０ｂ、キャップ６６０、ケース６７０及びスラスト軸受け６８０を備える。ケース６７０の内部にその他の構成部材が収容される。
【００１５】
ここで、以下の説明では、図１に示すように、ケース６７０内において軸部材６２０が延伸する方向をｚ軸方向と定義する。また、ｚ軸方向と垂直な平面内において互いに直交する２方向を、それぞれｘ軸、ｙ軸と定義する。また、ｚ軸方向のことを上下方向とも呼称し、ｚ軸の正方向を上方向、ｚ軸の負方向を下方向とも呼称する。
【００１６】
図１では、ケース６７０のうち、ケースの上部の隔壁であるケース上部隔壁６７０ａとケースの下部の隔壁であるケース下部隔壁６７０ｂの一部のみを図示している。また、図１では、ケース上部隔壁６７０ａの更に上方及びケース下部隔壁６７０ｂの更に下方に、冷却ファン６０が収容される可搬型電子機器の筐体の上部の隔壁である筐体上部隔壁７１０ａ及び下部の隔壁である筐体下部隔壁７１０ｂも併せて図示している。また、以下の説明では、ファン６１０に対して上方に位置するケース上部隔壁６７０ａ及び／又は筐体上部隔壁７１０ａのことを第１の隔壁とも呼称し、ファン６１０に対して下方に位置するケース下部隔壁６７０ｂ及び／又は筐体下部隔壁７１０ｂのことを第２の隔壁とも呼称する。
【００１７】
ファン６１０は、略円板状の形状を有し、当該円板の外周部には当該外周に沿って複数の羽根が設けられる。図１では、ファン６１０の略中心部付近のみを図示しており、複数の羽根が設けられる外周部については図示を省略している。図１に示すように、ファン６１０は、当該円板の板面とｘ軸とｙ軸とで規定される平面（ｘ−ｙ平面）とが略水平になるように配設される。ファン６１０が当該円板の板面と略垂直な方向であるｚ軸方向を回転軸方向として回転駆動されることにより、外周部に設けられる複数の羽根によって、ファン６１０の周囲に空気の流れが生まれる。ファン６１０の外周部に設けられる複数の羽根は、ファン６１０が周囲の空気を一方向から吸入して他方向に排出するように、その形状や配設位置、配設角度等が設計されている。
【００１８】
このように、可搬型電子機器内の空気が冷却ファン６０によって吸入され、吸入された空気がファン６１０の回転により当該機器の外部に排出されることにより、当該機器内を冷却する効果が得られる。従って、ケース６７０には、吸気用及び排気用の開口部が適宜設けられる。例えば、一般的なノート型ＰＣに適用される冷却ファン６０においては、上下方向からファン６１０に向かって吸気が行われ、ファン６１０の回転によりｘ−ｙ平面と水平な一方向に向かって排気が行われる場合が多い。従って、ケース上部隔壁６７０ａ及びケース下部隔壁６７０ｂには、吸気のための開口部（図示せず。）が適宜設けられてもよい。またケース１７０の側壁には排気のための開口部が適宜設けられてもよい。
【００１９】
軸部材６２０は、ケース６７０内で所定の方向（図１に示す例ではｚ軸方向、以下第１の方向とも呼称する。）に延伸して配設される棒状の部材である。ファン６１０の円板形状の板面における略中央部にはｚ軸方向に向かって開口する開口部が設けられており、当該開口部に軸部材６２０が挿入され固定的に接合される。図１に示す例では、軸部材６２０の上端にファン６１０の開口部が固定的に嵌合されている。軸部材６２０がｚ軸方向を回転軸方向として回転することにより、ファン６１０もｚ軸方向を回転軸方向として回転する。このように、一般的な冷却ファン６０においては、ファン６１０と軸部材６２０とが一体的に回転する。なお、図１では図示しないが、冷却ファン６０には、ファン６１０及び軸部材６２０を回転駆動させるための駆動機構が設けられてもよい。当該駆動機構としては、モータ等の一般的な既存の冷却ファンにおいて用いられる任意の駆動機構が適用されてよい。
【００２０】
また、一般的な冷却ファン６０においては、軸部材６２０は、その一端だけがケース６７０の内面を支持する。図１に示す例では、軸部材６２０のｚ軸方向における下端がスラスト軸受け６８０を介してケース下部隔壁６７０ｂの内面を支持している。一方、軸部材６２０のｚ軸方向における上端にはファン６１０が嵌合されており、軸部材６２０の上端とケース上部隔壁６７０ａの内面とは接触しない。
【００２１】
ハウジング６４０は、内部に空間が設けられた筒状の形状を有し、軸部材６２０の周囲をｚ軸方向に覆うように設けられる。ハウジング６４０の下端はケース下部隔壁６７０ｂの内面と固定的に接合される。ハウジング６４０とケース下部隔壁６７０ｂとが一体的に形成されてもよい。
【００２２】
ベアリング６３０は、軸部材６２０の外周面とハウジング６４０の内面との間に、両者と接するように設けられる。ベアリング６３０は、例えば滑り軸受け（平軸受け）である。ベアリング６３０が設けられることによって、軸部材６２０はハウジング６４０に対して相対的に回転可能に動作することができる。ベアリング６３０としては、一般的に用いられる各種の公知の軸受けが適用されてよい。
【００２３】
ハウジング６４０の内部においてベアリング６３０の上方及び下方には、それぞれＯリング６５０ａ及びＯリング６５０ｂが設けられる。ベアリング６３０には、ベアリング６３０の円滑な動作を保つためのグリース等の潤滑剤が注入されるため、Ｏリング６５０ａ、６５０ｂがベアリング６３０を上下から挟むように設けられることにより、当該潤滑剤の外部への漏れが防止される。また、ハウジング６４０の上端には、当該上端における開口部を塞ぐキャップ６６０が配設される。キャップ６６０によってハウジング６４０内、すなわちベアリング６３０への塵埃等の異物の侵入が防止される。
【００２４】
スラスト軸受け６８０が軸部材６２０の下端とケース下部隔壁６７０ｂの内面との間に設けられる。スラスト軸受け６８０が設けられることにより、スラスト軸受け６８０は、ケース下部隔壁６７０ｂを支持しながら、ケース下部隔壁６７０ｂに対して相対的に回転可能に動作することができる。なお、図１では、スラスト軸受け６８０を模式的に図示し、詳細な構造については図示を省略しているが、スラスト軸受け６８０としては、一般的に用いられる各種の公知の軸受けが適用されてよい。
【００２５】
以上、図１を参照して、一般的な既存の冷却ファン６０の構成について説明した。以上説明したように、一般的な冷却ファン６０においては、軸部材６２０の一端だけがケース６７０を支持する。また、一般的な冷却ファン６０においては、ファン６１０と軸部材６２０とが一体的に回転する。なお、図１では、冷却ファン６０が動作する際にｚ軸方向を回転軸方向として回転駆動される部材の輪郭を細線で記載し、回転駆動されない部材の輪郭を太線で記載している。
【００２６】
［１−２．一般的な既存の冷却ファンに対する検討］
次に、図２Ａ、図２Ｂ及び図３を参照して、一般的な冷却ファン６０について、本発明者らが検討した結果について説明する。
【００２７】
図２Ａ及び図２Ｂは、一般的な冷却ファンに対して外圧が加えられた場合について説明するための説明図である。なお、図２Ａ及び図２Ｂでは、図１に示す冷却ファン６０を簡略化し、模式的に図示している。具体的には、図２Ａ及び図２Ｂでは、冷却ファン６０の構成部材のうち、ファン６１０、軸部材６２０及びケース６７０のみを模式的に図示している。また、冷却ファン６０の上下に、冷却ファン６０が収容される可搬型電子機器の筐体の上部及び下部の隔壁である、筐体上部隔壁７１０ａ及び筐体下部隔壁７１０ｂを図示している。
【００２８】
図２Ａは外圧が与えられていない状態における冷却ファン６０を示している。冷却ファン６０が設置される可搬型電子機器は例えばノート型ＰＣであり、筐体上部隔壁７１０ａの上面（外面）にはキーボードやタッチパッド等の、ユーザによる当該ノート型ＰＣへの操作入力のための各種の操作手段（操作部）が存在し得る。ノート型ＰＣの操作時には、当該キーボードや当該タッチパッド等が、ユーザによって打鍵又は押圧される。また、ノート型ＰＣが机上等に載置されて使用される場合であれば、上述したようなユーザによる打鍵又は押圧等の動作により、筐体下部隔壁７１０ｂにも机等からの垂直抗力が作用し得る。このように、ノート型ＰＣ等の可搬型電子機器が操作される際には、筐体上部隔壁７１０ａ及び筐体下部隔壁７１０ｂに外圧が印加され得る。
【００２９】
図２Ｂは、外圧が与えられている状態における冷却ファン６０を示している。図２Ｂでは、筐体上部隔壁７１０ａ及び筐体下部隔壁７１０ｂに加えられる外圧が模式的に矢印で図示されている。筐体上部隔壁７１０ａ及び筐体下部隔壁７１０ｂに外圧が加えられると、当該外圧により筐体上部隔壁７１０ａ及び筐体下部隔壁７１０ｂが変形し歪みが生じる可能性がある。図２Ｂでは、筐体上部隔壁７１０ａ及び筐体下部隔壁７１０ｂに歪みが生じた様子が誇張して図示されている。図２Ｂに示すように、筐体上部隔壁７１０ａ及び筐体下部隔壁７１０ｂにおいて、冷却ファン６０に対応する領域が外圧によって変形すると、変形した筐体上部隔壁７１０ａ及び筐体下部隔壁７１０ｂによって冷却ファン６０のケース６７０が圧迫され得る。
【００３０】
ここで、図１を参照して説明したように、冷却ファン６０においては、軸部材６２０がケース下部隔壁６７０ｂのみを支持し、ケース上部隔壁６７０ａとは接触していないため、ケース６７０に対して上下方向から加えられる力は、ケース６７０の側壁によってのみ支持され得る。従って、ケース６７０の剛性によっては、筐体上部隔壁７１０ａ及び筐体下部隔壁７１０ｂの歪みによってケース６７０が圧迫されることにより、ケース６７０にも変形が生じ、冷却ファン６０の正常な動作が妨げられる可能性がある。例えば、ケース６７０が圧迫されることにより、軸部材６２０に想定外の力が外部から印加されファン６１０の正常な回転が阻害されたり、ケース６７０及び／又はケース６７０の内部の各構成部材が破損されたりする状況が生じ得る。また、一般的な冷却ファン６０においては、ケース６７０の上面が開放されている、すなわち、ケース上部隔壁６７０ａが存在しないタイプも存在する。ケース上部隔壁６７０ａが存在しない場合には、外圧によって変形された筐体上部隔壁７１０ａが、ファン６１０及び軸部材６２０等と直接接触してしまう可能性があり、より深刻な動作不良を引き起こしかねない。
【００３１】
以上図２Ａ及び図２Ｂを参照して説明したように、一般的な冷却ファン６０においては、上下方向からの外圧に対してより耐え得る構成が求められていた。
【００３２】
上記状況を鑑みて、筐体上部隔壁７１０ａ及び筐体下部隔壁７１０ｂと冷却ファン６０との間に、両者を支持する役割を果たす緩衝材を設ける構成が提案されている。このような、筐体上部隔壁７１０ａ及び筐体下部隔壁７１０ｂと冷却ファン６０との間に緩衝材が設けられる場合の一構成例を図３に示す。図３は、一般的な冷却ファン６０において、可搬型電子機器の筐体と冷却ファン６０との間に緩衝材が設けられる場合の一構成例について説明するための説明図である。
【００３３】
図３を参照すると、冷却ファン６０のケース６７０と、筐体上部隔壁７１０ａ及び筐体下部隔壁７１０ｂとの間に緩衝材７２０が設けられている。図３に示すように、緩衝材７２０は複数設けられてもよい。緩衝材７２０は、例えばゴムやスポンジ等の弾性部材によって形成される。外圧によって筐体上部隔壁７１０ａ及び筐体下部隔壁７１０ｂが変形したとしても、当該変形に伴う変位量が緩衝材７２０の弾性変形によって吸収されるため、筐体上部隔壁７１０ａ及び筐体下部隔壁７１０ｂの変形がケース６７０に与える影響を低減させることができる。このように、緩衝材７２０を設けることにより、筐体上部隔壁７１０ａ及び筐体下部隔壁７１０ｂに外圧が与えられた場合であっても、冷却ファン６０の正常な動作が維持される可能性がある。
【００３４】
しかしながら、上述したように、例えばノート型ＰＣに用いられる冷却ファン６０においては、ケース上部隔壁６７０ａ及びケース下部隔壁６７０ｂに設けられる開口部を介して上下方向から吸気が行われることが多い。よって、冷却ファン６０のケース６７０と筐体上部隔壁７１０ａ及び筐体下部隔壁７１０ｂとの間の空間は、吸気の際の空気の流路となり得る。従って、図３に示すように冷却ファン６０のケース６７０と筐体上部隔壁７１０ａ及び筐体下部隔壁７１０ｂとの間に緩衝材７２０が設けられると、緩衝材７２０によって流路が遮られてしまい、冷却ファン６０への吸気がスムーズに行われなくなる恐れがある。冷却ファン６０への吸気が十分に行われなければ、可搬型電子機器（ノート型ＰＣ）の外部に排出される空気の流量も低下するため、結果的に熱を外部に排出する効率（排熱効率、冷却効率）は低下してしまう。図３では、このような冷却ファン６０の周囲における空気の流れの一部を矢印で模式的に示している。
【００３５】
以上図３を参照して説明したように、一般的な冷却ファン６０においては、緩衝材７２０を設けることにより、筐体に対して上下方向から加えられる外圧が冷却ファン６０に与える影響を抑制できる可能性がある。しかしながら、緩衝材７２０を設けることにより冷却ファン６０への空気の流入路が物理的に制限されてしまい、冷却ファン６０へのスムーズな吸気が行われなくなる恐れがある。
【００３６】
以上、図１、図２Ａ、図２Ｂ及び図３を参照して、一般的な既存の冷却ファン６０について検討した。本発明者らは、上記の検討結果を踏まえて、外圧が与えられた場合であっても、正常な動作が保たれるとともに吸気及び排気の性能が低下しない、より信頼性の高い回転駆動装置について検討した結果、本開示に係る回転駆動装置に想到した。以下では、本開示の好適な一実施形態について詳細に説明する。
【００３７】
＜２．本実施形態に係る冷却ファン＞
本開示の好適な一実施形態に係る回転駆動装置について説明する。以下の説明では、本開示の好適な実施の形態として、回転駆動装置が、可搬型電子機器であるノート型ＰＣの筐体内に設置される冷却ファンである場合を例に挙げて説明を行う。本開示の一実施形態に係る冷却ファンにおいては、回転体であるファンが回転駆動されることにより、当該ファンの周囲に空気の流れが発生し、筐体内から筐体外部に向かって熱が排出される。
【００３８】
［２−１．本実施形態に係る冷却ファンの構成］
図４を参照して、本開示の一実施形態に係る冷却ファンの概略構成について説明する。図４は、本開示の一実施形態に係る冷却ファンにおける、ファンの回転軸を通る断面の様子を示す概略図である。
【００３９】
図４を参照すると、本実施形態に係る冷却ファン１０は、ファン（回転体）１１０、軸部材１２０、ベアリング１３０、ハウジング１４０、Ｏリング（オー−リング）１５０ａ、１５０ｂ、キャップ１６０及びケース１７０を備える。これらの構成部材のうち、ファン１１０、軸部材１２０、ベアリング１３０、ハウジング１４０、Ｏリング（オー−リング）１５０ａ、１５０ｂ及びキャップ１６０はケース１７０の内部に収容される。また、軸部材１２０は第１の方向に延伸し、ケース１７０を当該第１の方向に貫通して設けられる。
【００４０】
ここで、以下の説明では、図１と同様、座標を定義して冷却ファン１０についての説明を行う。具体的には、図４に示すように、軸部材１２０が延伸する方向（第１の方向）をｚ軸方向と定義する。また、ｚ軸方向と垂直な平面内において互いに直交する２方向を、それぞれｘ軸、ｙ軸と定義する。また、ｚ軸方向のことを上下方向とも呼称し、ｚ軸の正方向を上方向、ｚ軸の負方向を下方向とも呼称する。
【００４１】
図４においても、図１と同様、ケース１７０のうち、ケースの上部の隔壁であるケース上部隔壁１７０ａとケースの下部の隔壁であるケース下部隔壁１７０ｂの一部のみを図示している。また、図４では、ケース上部隔壁１７０ａの更に上方及びケース下部隔壁１７０ｂの更に下方に、冷却ファン１０が収容される可搬型電子機器の筐体の上部の隔壁である筐体上部隔壁２１０ａ及び下部の隔壁である筐体下部隔壁２１０ｂも併せて図示している。なお、本実施形態においては、冷却ファン１０の用途に応じて、ケース１７０の隔壁のうちケース上部隔壁１７０ａが設けられなくてもよい。また、以下の説明では、ファン１１０に対して上方に位置するケース上部隔壁１７０ａ及び／又は筐体上部隔壁２１０ａのことを第１の隔壁とも呼称し、ファン１１０に対して下方に位置するケース下部隔壁１７０ｂ及び／又は筐体下部隔壁２１０ｂのことを第２の隔壁とも呼称する。
【００４２】
ファン１１０は、略円板状の形状を有し、当該円板の外周部には当該外周に沿って複数の羽根が設けられる。図４では、ファン１１０の略中心部付近のみを図示しており、複数の羽根が設けられる外周部については図示を省略している。図４に示すように、ファン１１０は、当該円板の板面とｘ−ｙ平面とが略水平になるように配設される。つまり、ファン１１０の上下方向（第１の方向）における両側には、ケース上部隔壁１７０ａ及びケース下部隔壁１７０ｂがそれぞれ位置している。ファン１１０が当該円板の板面と略垂直な方向であるｚ軸方向を回転軸方向として回転駆動されることにより、外周部に設けられる複数の羽根によって、ファン１１０の周囲に空気の流れが生まれる。当該複数の羽根は、ファン１１０が回転駆動される際に、ファン１１０が周囲の空気を一方向から吸入して他方向に排出するように、その形状や配設位置、配設角度等が設計されている。このように、ファン１１０は、回転駆動されることにより、一方向から吸入した空気を他方向に排出する機能を有する。
【００４３】
このように、可搬型電子機器内の空気が冷却ファン１０によって吸入され、吸入された空気がファン１１０の回転により当該機器の外部に排出されることにより、当該機器内を冷却する効果が得られる。従って、ケース１７０には、吸気用及び排気用の開口部が適宜設けられる。ここで、例えば冷却ファン１０においては、上下方向からファン１１０に向かって吸気が行われ、ファン１１０の回転によりｘ−ｙ平面と水平な一方向に向かって排気が行われる。従って、ケース上部隔壁１７０ａ及びケース下部隔壁１７０ｂには、吸気のための開口部（図示せず。）が適宜設けられてもよい。またケース１７０の側壁には排気のための開口部が適宜設けられてもよい。このように、可搬型電子機器内の空気が冷却ファン１０に吸入され、ファン１１０の回転により吸入された空気が当該機器の外部に排出されることにより、当該機器内を冷却する効果が得られる。
【００４４】
軸部材１２０は、第１の方向に延伸して設けられる棒状の部材である。軸部材１２０は、ケース１７０を当該第１の方向に貫通して設けられる。具体的には、軸部材１２０は、ケース１７０を貫通するように、ケース上部隔壁１７０ａ及びケース下部隔壁１７０ｂに設けられる開口部に上下方向に挿通される。そして、軸部材１２０の第１の方向における両端は、筐体上部隔壁２１０ａ及び筐体下部隔壁２１０ｂの内面に固定的に接合される。従って、軸部材１２０は、冷却ファン１０が内部に設置される可搬型電子機器の筐体を上下方向に支持する機能を有する。
【００４５】
また、軸部材１２０は、ケース上部隔壁１７０ａ及びケース下部隔壁１７０ｂに対して固定的に設けられてもよい。具体的には、ケース上部隔壁１７０ａ及びケース下部隔壁１７０ｂに設けられる軸部材１２０が挿通される開口部において、軸部材１２０の外周面と当該開口部の内周面とが固定的に接合されてもよい。軸部材１２０が、ケース上部隔壁１７０ａ及びケース下部隔壁１７０ｂに対して固定的に設けられることにより、軸部材１２０は、可搬型電子機器の筐体を上下方向に支持するとともに、ケース１７０を上下方向に支持する機能を有する。
【００４６】
なお、図４に示す例では、軸部材１２０はケース１７０を上下方向に貫通して設けられており、軸部材１２０の両端が筐体上部隔壁２１０ａ及び筐体下部隔壁２１０ｂの内面に固定的に接合されているが、本実施形態はかかる例に限定されない。例えば、軸部材１２０はケース１７０の内部において延伸され、その両端がケース上部隔壁１７０ａ及びケース下部隔壁１７０ｂの内面にそれぞれ固定的に接合されてもよい。軸部材１２０の両端がケース上部隔壁１７０ａ及びケース下部隔壁１７０ｂの内面にそれぞれ固定的に接合される場合、軸部材１２０は、ケース１７０を上下方向に支持することができる。このように、本実施形態においては、軸部材１２０の両端が固定的に接合される隔壁は、ケース１７０のケース上部隔壁１７０ａ及びケース下部隔壁１７０ｂであってもよいし、ケース１７０の更に外側に位置する、冷却ファン１０が設置される可搬型電子機器の筐体の筐体上部隔壁２１０ａ及び筐体下部隔壁２１０ｂであってもよい。
【００４７】
また、例えば、ケース１７０にケース上部隔壁１７０ａが設けられない場合には、軸部材１２０の上端は筐体上部隔壁２１０ａに固定的に接合され、軸部材１２０の下端はケース下部隔壁１７０ｂに固定的に接合されてもよい。更に、例えば、軸部材１２０が下方向にのみケース１７０を貫通するように設けられ、軸部材１２０の上端はケース上部隔壁１７０ａに固定的に接合され、軸部材１２０の下端は筐体下部隔壁２１０ｂに固定的に接合されてもよい。
【００４８】
このように、本実施形態においては、軸部材１２０がケース１７０及び／又は当該可搬型電子機器の筐体を上下方向に支持するように設けられる。軸部材１２０の上端（一端）が固定的に接合される隔壁は、ケース上部隔壁１７０ａ及び／又は筐体上部隔壁２１０ａであってもよいし、軸部材１２０の下端（他端）が固定的に接合される隔壁は、ケース下部隔壁１７０ｂ及び／又は筐体下部隔壁２１０ｂであってもよい。
【００４９】
ファン１１０の円板形状の板面内の略中央部には開口部が設けられており、当該開口部に軸部材１２０が挿通される。そして、ファン１１０は、第１の方向を回転軸方向として軸部材１２０に対して回転可能に設けられる。例えば、ファン１１０と軸部材１２０との間には、ファン１１０の軸部材１２０に対する回転を可能とするベアリング等の部材（図示せず。）が介設されてよい。このように、本実施形態においては、軸部材１２０はの両端はケース１７０又は可搬型電子機器の筐体の隔壁の内面に固定的に接合されており、ファン１１０が回転する際に軸部材１２０は回転しない。なお、軸部材１２０は、ファン１１０を、ｚ軸方向に移動しないように支持してもよい。例えば、ファン１１０及び／又は軸部材１２０には、ファン１１０のｚ軸方向への移動を防止するストッパ等の部材（図示せず。）が設けられてもよい。
【００５０】
また、図４では図示しないが、冷却ファン１０には、ファン１１０を回転駆動させるための駆動機構が設けられてもよい。当該駆動機構は、例えば、コイル、当該コイルに電流を印加する基板や電源ユニット、ファン１１０の当該コイルと対向する位置に設けられる磁石（又は電磁石）等によって構成される。例えば、コイルに対して印加する電流を所定の周期及び振幅で変動させて当該コイルを電磁石として作動させることにより、当該電磁石とファン１１０に設けられる磁石との相互作用によってファン１１０を回転させることができる。ただし、冷却ファン１０に備えられる駆動機構はかかる例に限定されず、冷却ファン１０には、一般的な既存の冷却ファンにおいて用いられる各種の駆動機構が適用されてよい。また、当該駆動機構は冷却ファン１０の外部に設けられてもよい。
【００５１】
ハウジング１４０は、内部に空間が設けられた筒状の形状を有し、軸部材１２０の周囲をｚ軸方向に覆うように設けられる。本実施形態においては、ハウジング１４０の上端とファン１１０の下面とが固定的に接合されてもよい。従って、本実施形態においては、ファン１１０とハウジング１４０とが一体的に回転する。
【００５２】
ベアリング１３０は、軸部材１２０の外周面とハウジング１４０の内面との間に、両者と接するように設けられる。ベアリング１３０は、例えば滑り軸受け（平軸受け）である。ベアリング１３０が設けられることによって、ハウジング１４０は軸部材１２０に対して相対的に回転可能に動作することができる。なお、ベアリング１３０としては、一般的に用いられる各種の公知の軸受けが適用されてよい。ベアリング１３０の構成や種類は特定のものに限定されず、ハウジング１４０が軸部材１２０に対してスムーズに回転可能であるように、適宜設定されてよい。
【００５３】
ハウジング１４０の内部においてベアリング１３０の上方及び下方には、それぞれＯリング１５０ａ及びＯリング１５０ｂが設けられる。ベアリング１３０には、ベアリング１３０の円滑な動作を保つためのグリース等の潤滑剤が注入されるため、Ｏリング１５０ａ、１５０ｂがベアリング１３０を上下から挟むように設けられることにより、当該潤滑剤の外部への漏れが防止される。
【００５４】
また、ハウジング１４０の下端には、ハウジング１４０内、すなわちベアリング１３０への塵埃等の異物の侵入を防止するために、当該下端における開口部を塞ぐキャップ１６０が配設される。キャップ１６０はハウジング１４０の下端の開口部に固定的に接合されてよい。従って、本実施形態においては、キャップ１６０もファン１１０及びハウジング１４０とともに回転する。図４に示すように、キャップ１６０の略中央部に開口部が設けられ、当該開口部に軸部材１２０が挿通されることにより、キャップ１６０が軸部材１２０によって上下方向に貫かれる。キャップ１６０の当該開口部の内周面と軸部材１２０の外周面との接触部位には、キャップ１６０の軸部材１２０に対するスムーズな回転を可能にする潤滑剤や軸受け等が適宜設けられてよい。なお、図４では、冷却ファン１０が動作する際にｚ軸方向を回転軸方向として回転駆動される部材の輪郭を細線で記載し、回転駆動されない部材の輪郭を太線で記載している。
【００５５】
以上、図４を参照して、本実施形態に係る冷却ファン１０の構成について説明した。以上説明したように、本実施形態においては、軸部材１２０が、ケース１７０を第１の方向である上下方向に貫通して設けられ、その両端がケース１７０の上方及び下方に位置する筐体上部隔壁２１０ａ及び筐体下部隔壁２１０ｂの内面に固定的に接合される。あるいは、軸部材１２０がケース１７０内において第１の方向に延伸され、その両端がケース上部隔壁１７０ａ及びケース下部隔壁１７０ｂの内面に固定的に接合される。また、ファン１１０が、第１の方向を回転軸方向として軸部材１２０に対して回転可能に設けられる。このように、本実施形態に係る冷却ファン１０においては、軸部材１２０が、ファン１１０を回転可能に支持する軸としての機能を有するとともに、ケース１７０及び／又は冷却ファン１０が設置される可搬型電子機器の筐体を上下方向に支持する支持部材としての機能を有する。
【００５６】
なお、本実施形態においては、部材間を固定的に接合する方法として、各種の公知の方法が用いられてよい。例えば、部材同士が、溶接によって固定的に接合されてもよいし、各種の接着剤や両面テープ等によって固定的に接合されてもよい。あるいは、固定的に接合される部材が一体的に形成されてもよい。このように、本実施形態において部材間を固定的に接合する方法は特定の方法に限定されず、部材間が所定の強度を有して接合されるように、好ましい接合方法が適宜選択されてよい。
【００５７】
［２−２．本実施形態に係る冷却ファンによる効果］
次に、図５を参照して、図４に示す本実施形態に係る冷却ファン１０によって得られる効果について説明する。
【００５８】
図５は、本実施形態に係る冷却ファン１０によって得られる効果について説明するための説明図である。図５では、図４に示す冷却ファン１０を簡略化し、模式的に図示している。具体的には、図５では、冷却ファン１０の構成部材のうち、ファン１１０、軸部材１２０及びケース１７０のみを模式的に図示している。また、冷却ファン１０の上下に、冷却ファン１０が設置される可搬型電子機器の筐体の上部及び下部の隔壁である、筐体上部隔壁２１０ａ及び筐体下部隔壁２１０ｂを図示している。
【００５９】
まず、本実施形態に係る冷却ファン１０が設置される可搬型電子機器の筐体に対して、上下方向から外圧が加えられる場合について考える。図５では、筐体上部隔壁２１０ａ及び筐体下部隔壁２１０ｂに与えられる外圧が模式的に矢印で図示されている。上記［１−２．一般的な既存の冷却ファンに対する検討］で説明したように、冷却ファン１０が設置される可搬型電子機器は例えばノート型ＰＣであり、筐体上部隔壁２１０ａの上面には、ユーザによる当該ノート型ＰＣへの操作入力のための各種の操作手段（操作部）が存在し得る。ここで、操作手段とは、例えばキーボード、タッチパネル及びボタン等の、ユーザによる操作入力を受け付ける入力インターフェースである。ノート型ＰＣの操作時には、当該キーボードや当該タッチパッド等が、ユーザによって打鍵又は押圧される。また、ノート型ＰＣが机上等に載置されて使用されている場合であれば、上述したようなユーザによる打鍵又は押圧等の動作により、筐体下部隔壁２１０ｂにも机等からの垂直抗力が作用し得る。このように、ノート型ＰＣ等の可搬型電子機器が操作される際には、筐体上部隔壁２１０ａ及び筐体下部隔壁２１０ｂに外圧が印加され得る。
【００６０】
ここで、図２Ａ及び図２Ｂを参照して説明したように、一般的な既存の冷却ファン６０においては、軸部材６２０がケース下部隔壁６７０ｂのみを支持しているため、上下方向からの力に対するケース６７０の剛性が十分に確保されず、筐体上部隔壁２１０ａ及び筐体下部隔壁２１０ｂに加えられる外圧によってケース６７０も変形してしまい、冷却ファン６０の正常な動作が阻害される恐れがあった。一方、図４を参照して説明したように、本実施形態に係る冷却ファン１０においては、軸部材１２０の両端が、筐体上部隔壁２１０ａ及び筐体下部隔壁２１０ｂの内面に固定的に接合される。軸部材１２０によって、筐体上部隔壁２１０ａ及び筐体下部隔壁２１０ｂが上下方向に支持されるため、上下方向から加えられる力に対する当該筐体の剛性が向上される。従って、筐体上部隔壁２１０ａ及び筐体下部隔壁２１０ｂに対して上下方向から外圧が加えられた場合であっても、筐体上部隔壁２１０ａ及び筐体下部隔壁２１０ｂに変形が生じ難い。よって、本実施形態においては、筐体上部隔壁２１０ａ及び筐体下部隔壁２１０ｂの外圧による変形が、当該筐体内部に設けられる冷却ファン１０に対して影響を与える可能性が低くなり、冷却ファン１０の正常な動作が維持される。
【００６１】
なお、本実施形態においては、冷却ファン１０の用途に応じて、ケース１７０の隔壁のうちケース上部隔壁１７０ａが設けられなくてもよい。ケース上部隔壁１７０ａが設けられない場合、ケース１７０の上面が開放されることとなるため、もしも外圧によって筐体上部隔壁２１０ａが変形してしまうと、変形した筐体上部隔壁２１０ａがファン１１０及び軸部材１２０等と直接接触してしまう可能性があり、より深刻な動作不良を引き起こしかねない。本実施形態では、軸部材１２０の両端が、筐体上部隔壁２１０ａ及び筐体下部隔壁２１０ｂの内面に固定的に接合されることにより、筐体上部隔壁２１０ａ及び筐体下部隔壁２１０ｂの外圧による変形が抑制されるため、このような深刻な動作不良が生じる可能性が低減される。
【００６２】
また、上述したように、本実施形態においては、軸部材１２０がケース１７０を貫通せず、ケース１７０内において、軸部材１２０の両端がケース上部隔壁１７０ａ及びケース下部隔壁１７０ｂの内面とそれぞれ固定的に接合されてもよい。軸部材１２０によって、ケース上部隔壁１７０ａ及びケース下部隔壁１７０ｂが上下方向に支持されるため、上下方向から加えられる力に対するケース１７０の剛性が向上される。従って、外圧によって筐体上部隔壁２１０ａ及び筐体下部隔壁２１０ｂに変形が生じ、当該変形によってケース１７０に対して力が加えられたとしても、ケース１７０には変形が生じにくい。よって、本実施形態では、外圧によって生じる筐体上部隔壁２１０ａ及び筐体下部隔壁２１０ｂの変形が、ケース１７０の内部に配設される構成部材に対して与える影響が低減され、冷却ファン１０の正常な動作が保障される。
【００６３】
更に、本実施形態においては、軸部材１２０の上端（一端）が固定的に接合される隔壁は、ケース上部隔壁１７０ａ及び／又は筐体上部隔壁２１０ａであってもよいし、軸部材１２０の下端（他端）が固定的に接合される隔壁は、ケース下部隔壁１７０ｂ及び／又は筐体下部隔壁２１０ｂであってもよい。例えば、軸部材１２０の一端がケース上部隔壁１７０ａ又はケース下部隔壁１７０ｂに固定的に接合され、軸部材１２０の他端が筐体上部隔壁２１０ａ又は筐体下部隔壁２１０ｂに固定的に接合されてもよい。このように、軸部材１２０がケース１７０及び／又は冷却ファン１０が設置される可搬型電子機器の筐体を上下方向に支持するように設けられることにより、ケース１７０及び／又は当該筐体の、上下方向から加えられる力に対する剛性が向上される。よって、筐体上部隔壁２１０ａ及び筐体下部隔壁２１０ｂに外圧が加えられた際に、ケース１７０及び／又は当該筐体の変形が抑制され、冷却ファン１０の正常な動作が保たれる。
【００６４】
次に、本実施形態に係る冷却ファン１０における吸気について考える。上記［１−２．一般的な既存の冷却ファンに対する検討］で説明したように、一般的な既存の冷却ファン６０においては、緩衝材７２０がケース６７０と筐体上部隔壁７１０ａ及び筐体下部隔壁７１０ｂとの間に設けられることにより、緩衝材７２０が空気の流路を遮り、吸気がスムーズに行われない恐れがあった。一方、上述したように、本実施形態に係る冷却ファン１０においては、軸部材１２０の両端が筐体上部隔壁２１０ａ及び筐体下部隔壁２１０ｂの内面に固定的に接合されることにより、軸部材１２０が、当該筐体を上下方向に支持する支持部材としての機能を有する。従って、本実施形態においては、筐体上部隔壁７１０ａ及び筐体下部隔壁７１０ｂの変形を防止するための緩衝材７２０のような更なる支持部材を設ける必要がない。このように、本実施形態では、緩衝材７２０のような流路の妨げとなり得る部材が不要であるため、冷却ファン１０への吸気がスムーズに行われ、排熱効率
（冷却効率）が低下しない。図５では、このような冷却ファン１０の周囲における空気の流れの一部を矢印で模式的に示している。
【００６５】
＜３．まとめ＞
以上説明したように、本実施形態においては、以下の効果が得られる。
【００６６】
本実施形態においては、ファン１１０に挿通される軸部材１２０の両端が、軸部材１２０が延伸される第１の方向の両側において、ファン１１０の上方及び下方に位置する第１及び第２の隔壁の内面と固定的に接合される。また、第１及び第２の隔壁は、冷却ファン１０のケース１７０の上部及び下部の隔壁であってもよいし、冷却ファン１０が設置される可搬型電子機器の筐体の上部及び下部の隔壁であってもよい。このように、軸部材１２０は、ファン１１０を回転可能に支持するとともに、ケース１７０及び／又は当該筐体を上下方向に支持する支持部材としての機能を有する。従って、軸部材１２０によって、上下方向から加えられる力に対するケース１７０及び／又は当該筐体の剛性が向上される。よって、上下方向から加えられる外圧に対するケース１７０及び／又は当該筐体の変形が抑制され、冷却ファン１０の正常な動作が維持される。
【００６７】
また、本実施形態においては、冷却ファン１０が設置される可搬型電子機器はノート型ＰＣであってもよい。当該可搬型電子機器がノート型ＰＣである場合、その筐体の上部の隔壁の上面（外面）には、ユーザによる当該ノート型ＰＣへの操作入力のための操作手段が設けられてもよい。このような操作手段は、例えばキーボードやタッチパッド等であってよく、操作時にユーザによって打鍵又は押圧され得る。上述したように、本実施形態では、上下方向の外圧に対するケース１７０又は当該筐体の変形が抑制されるため、このようなユーザの操作に伴って当該ノート型ＰＣの筐体に加えられる外圧に対しても、冷却ファン１０の正常な動作が妨げられない。
【００６８】
また、本実施形態においては、上述したように、軸部材１２０によって、冷却ファン１０が設置される可搬型電子機器の筐体が上下方向に支持される。従って、冷却ファン１０のケース１７０と当該筐体との間に別途の支持部材を設けなくても、当該筐体の剛性を向上させることができる。よって、このような別途の支持部材によって冷却ファン１０の周囲の流路が妨げられることがなく、冷却ファン１０における吸気及び排気の効率が低下しない。
【００６９】
このように、本実施形態に係る冷却ファン１０においては、外圧に対する動作の信頼性をより向上させることが可能となる。
【００７０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７１】
例えば、上記では、回転駆動装置の一例として、ノート型ＰＣ等の可搬型電子機器の筐体内部に設置される冷却ファンを挙げて説明を行ったが、本実施形態はかかる例に限定されない。本実施形態に係る回転駆動装置は、軸部材によって支持される回転体がケースや筐体内に収容される構成を有する装置であれば、他の装置であってもよい。例えば、本実施形態に係る回転駆動装置は、扇風機や換気扇等のより大型の装置であってもよい。
【００７２】
なお、以下のような構成も本開示の技術的範囲に属する。
（１）第１の方向に延伸する軸部材と、前記軸部材が挿通され、前記第１の方向を回転軸方向として前記軸部材に対して回転可能に設けられる回転体と、を備え、前記軸部材の両端は、前記回転体の前記第１の方向における両側に位置する第１及び第２の隔壁の内面にそれぞれ固定的に接合される、回転駆動装置。
（２）前記軸部材は、前記回転体が収容されるケースを前記第１の方向に貫通して設けられ、前記第１及び第２の隔壁は、前記回転駆動装置が内部に設置される可搬型電子機器の筐体の、前記第１の方向における両側に位置する隔壁である、前記（１）に記載の回転駆動装置。
（３）前記第１及び第２の隔壁は、前記回転体が収容されるケースの、前記第１の方向における両側に位置する隔壁である、前記（１）に記載の回転駆動装置。
（４）前記第１の隔壁は、前記回転駆動装置が内部に設置される可搬型電子機器の筐体の、前記第１の方向における一側に位置する隔壁であり、前記第２の隔壁は、前記回転体が収容されるケースの、前記第１の方向における他側に位置する隔壁である、前記（１）に記載の回転駆動装置。
（５）前記回転体の外周部には少なくとも１つの羽根が設けられ、前記回転体が収容されるケースの、前記第１の方向における少なくともいずれかの側に位置する隔壁の一部領域には吸気用の開口部が設けられ、前記回転体は、前記第１の方向を回転軸として回転駆動されることにより、前記ケースに設けられる前記開口部を介して前記第１の方向から吸入した空気を、前記第１の方向とは異なる第２の方向に向かって排出する、前記（１）〜（４）のいずれか１項に記載の回転駆動装置。
（６）前記回転駆動装置は、可搬型電子機器の筐体内部に設置され、当該可搬型電子機器の筐体内部の排熱を行う冷却ファンである、前記（１）〜（５）のいずれか１項に記載の回転駆動装置。
（７）前記可搬型電子機器はノート型ＰＣであり、前記第１及び第２の隔壁は、前記ノート型ＰＣの筐体の、前記第１の方向における両側に位置する隔壁であり、前記第１又は第２の隔壁の外面には、ユーザによる前記ノート型ＰＣへの操作入力のための操作手段が設けられる、前記（６）に記載の回転駆動装置。
【符号の説明】
【００７３】
１０    冷却ファン
１１０    ファン
１２０    軸部材
１３０    ベアリング
１４０    ハウジング
１５０ａ、１５０ｂ    Ｏリング
１６０    キャップ
１７０    ケース
１７０ａ    ケース上部隔壁
１７０ｂ    ケース下部隔壁
２１０ａ    筐体上部隔壁
２１０ｂ    筐体下部隔壁
【図１】
2015022611.tif 000003
【図２Ａ】
2015022611.tif 000004
【図２Ｂ】
2015022611.tif 000005
【図３】
2015022611.tif 000006
【図４】
2015022611.tif 000007
【図５】
2015022611.tif 000008